(57)【要約】【課題】使用者の操作部に対する特定の操作の有無によって（特定操作をトリガとして）ジョブの実行速度を使用者の意思にあうように自動的に定める。【解決手段】画像形成装置は、ジョブを実行するジョブ実行部と、実行しようとするジョブで利用する設定項目を選択する操作と、実行しようとするジョブの設定値を設定する操作と、ジョブの実行指示を受け付ける操作部と、操作部を、１タッチの操作により複数タッチ分の操作がなされた状態とする特定操作の内容を記憶する記憶部と、を含み、ジョブ実行部は、設定操作中に操作部で前記特定操作がなされたジョブと、操作部に対する設定操作中に前記特定操作がなされず通常操作のみで設定されたジョブでは、ジョブ実行速度を異ならせる。【選択図】図１４
2014216857.tif 000002
【特許請求の範囲】
【請求項１】
ジョブを実行するジョブ実行部と、
実行しようとするジョブで利用する設定項目を選択する操作と、実行しようとするジョブの設定値を設定する操作と、ジョブの実行指示を受け付ける操作部と、
前記操作部を、１タッチの操作により複数タッチ分の操作がなされた状態とする特定操作の内容を記憶する記憶部と、を含み、
前記ジョブ実行部は、設定操作中に前記操作部で前記特定操作がなされたジョブと、前記操作部に対する設定操作中に前記特定操作がなされず通常操作のみで設定されたジョブでは、ジョブ実行速度を異ならせることを特徴とする画像形成装置。
【請求項２】
前記ジョブ実行部は、前記操作部に対する設定操作中に前記特定操作がなされたジョブを通常のジョブ実行速度である通常モード速度で実行し、前記通常操作のみで設定されたジョブを前記通常モード速度よりもジョブ実行速度が遅い静音モード速度で実行することを特徴とする請求項１記載の画像形成装置。
【請求項３】
前記操作部は、前記特定操作ごとに、前記通常モード速度でジョブを実行するか、前記静音モード速度でジョブを実行するかを設定する速度設定を受け付け、
前記記憶部は、それぞれの前記特定操作に対応付けて、前記操作部でなされた前記速度設定の内容を記憶し、
前記ジョブ実行部は、前記通常モード速度でジョブを実行する前記速度設定の前記特定操作を経て実行指示がなされたジョブを前記通常モード速度で実行し、前記静音モード速度でジョブを実行する前記速度設定の前記特定操作を経て実行指示がなされたジョブについては、前記特定操作がなされても前記静音モード速度で実行することを特徴とする請求項２記載の画像形成装置。
【請求項４】
前記操作部は、使用者による前記特定操作の内容を定める入力を受け付け、
前記操作部に対し前記特定操作の内容を登録する指示がなされると、前記記憶部は、使用者により定められた前記特定操作の内容を記憶し、
前記特定操作は、前記操作部にて呼び出し操作を行うことにより前記操作部を予め定められた設定値が設定された状態とする操作、前記操作部にて呼び出し操作を行うことにより予め定められた設定項目の設定画面を前記操作部の表示部に表示させる操作、前記操作部にて呼び出し操作を行うことにより前記操作部をジョブの宛先が設定された状態とする操作の何れか１つ、又は、複数であることを特徴とする請求項１乃至３の何れか１項に記載の画像形成装置。
【請求項５】
前記操作部は、実行指示がなされたジョブの実行速度の変更を受け付け、
前記ジョブ実行部は、変更後のジョブ実行速度でジョブを実行することを特徴とする請求項１乃至４の何れか１項に記載の画像形成装置。
【請求項６】
前記操作部は、前記操作部に対するタッチ操作の操作音を発する発音部を含み、
前記発音部は、前記ジョブ実行部がジョブ実行中の操作音を、前記ジョブ実行部がジョブを実行していないときよりも大きくすることを特徴とする請求項１乃至５の何れか１項に記載の画像形成装置。
【請求項７】
前記ジョブ実行部は、用紙を搬送して用紙に印刷を行う印刷部と、載置された原稿の搬送を自動的に行う原稿搬送部を含み、搬送される原稿を読み取る原稿読取部の何れか一方、又は、両方であることを特徴とする請求項１乃至６の何れか１項に記載の画像形成装置。
【請求項８】
前記印刷部は、用紙を供給する給紙部を含み、
前記給紙部と前記原稿搬送部は、異なるタイミングで用紙と原稿の送り出しを開始することを特徴とする請求項７に記載の画像形成装置。
【発明の詳細な説明】
【技術分野】
【０００１】
本発明は、ジョブの実行速度を変化させることができ、ジョブの設定を受け付ける操作部を含む画像形成装置に関する。
【背景技術】
【０００２】
複写機、複合機、プリンタ、ＦＡＸ装置のような画像形成装置では、ジョブ実行時に音が生ずる。あまりに大きな音が画像形成装置から生ずると、騒音となり、使用者に不快感を与えてしまう。また、ジョブ実行時に生ずる音の大きさの程度が、新たな画像形成装置を導入の考慮事項の１つとなる場合もある。そのため、ジョブ実行時に画像形成装置から生ずる音は、できるだけ小さい方が好ましい。そして、画像形成装置から生ずる音を落とすための構成を有する技術が特許文献１に記載されている。
【０００３】
具体的に、特許文献１には、少なくとも２種類以上の異なる搬送速度で記録紙収納部から記録紙を画像記録部へ搬送して画像を記録可能な画像形成装置であり、記録動作を通常よりも静かに行う静音モードを有し、切り替え手段（静音モードのスイッチ２５）で静音モードが選択されたことに応じて、前記異なる搬送速度のなかで通常時より遅い搬送速度を選択して記録を行う画像形成装置が記載されている。また、原稿を読取る読取り動作を行い、記録紙収納部から記録紙を画像記録部へ搬送して読取った画像を記録する画像形成装置であり、記録動作を通常よりも静かに行う静音モードを有し、通常時は読取り動作が完了する前に前記記録紙の搬送を開始して記録を行い、前記静音モードが選択されたことに応じて、前記読取り動作が完了した後に前記記録紙の搬送を開始して記録を行う画像形成装置が記載されている。この構成により、稼働音低減のための切り替え手段（静音読取モードスイッチ２５など）に対する操作に応じ、稼働音の騒音を低減しようとする（特許文献１：補正後の請求項３、請求項６等参照）。
【先行技術文献】
【特許文献】
【０００４】
【特許文献１】特開２００４−１６７７９８号公報
【発明の概要】
【発明が解決しようとする課題】
【０００５】
画像形成装置には、ジョブで使用する設定項目（機能）の選択や、設定値を定めるために、使用者が設定操作を行うための部分（操作部）が設けられる場合がある。所望のジョブの実行結果が得られるように、操作部を用いて、使用者は各種の設定を行う。
【０００６】
特許文献１記載の画像形成装置では、画像形成装置の稼働音を抑えるモードで画像形成装置を動作させるには、常時、切り替え手段で静音モードを実行する旨の設定を使用者の手で行わなくてはならない。言い換えると、静音モードでの印刷は自動でなされない。逐一、設定を行う必要があるので、静音モードで印刷するための操作が煩わしいという問題がある。そして、静音モードで印刷することは煩わしい、と使用者が感ずると、静音モードがほとんど利用されないという結果となる。また、静音モードでの印刷を行う設定をし忘れると、画像形成装置の稼働音が大きい状態で印刷が行われるという問題もある。
【０００７】
本発明は、上記の問題点に鑑み、ジョブを静音モード速度で実行するか、通常モード速度で実行してジョブ完了までの時間を短くするかを、使用者の操作部に対する特定の操作の有無によって（特定操作をトリガとして）、自動的に定め、使用者の意思にあうように適切にジョブ実行速度を定める。
【課題を解決するための手段】
【０００８】
上記課題解決のため請求項１に係る画像形成装置は、ジョブを実行するジョブ実行部と、実行しようとするジョブで利用する設定項目を選択する操作と、実行しようとするジョブの設定値を設定する操作と、ジョブの実行指示を受け付ける操作部と、前記操作部を、１タッチの操作により複数タッチ分の操作がなされた状態とする特定操作の内容を記憶する記憶部と、を含み、前記ジョブ実行部は、設定操作中に前記操作部で前記特定操作がなされたジョブと、前記操作部に対する設定操作中に前記特定操作がなされず通常操作のみで設定されたジョブでは、ジョブ実行速度を異ならせることとした。
【発明の効果】
【０００９】
本発明の画像形成装置によれば、使用者の操作部に対する特定の操作の有無に応じ、画像形成装置から生ずる音の大きさを抑えて静音モードでジョブを実行するか、静音モードよりもジョブ実行速度を速くしてできるだけジョブ完了までの時間を短くするかを、自動的に定めて、使用者の意思にあうように適切なジョブ実行速度を定めることができる。
【図面の簡単な説明】
【００１０】
【図１】複合機を示す図である。
【図２】原稿読取部を示す図である。
【図３】操作パネルの一例を示す図である。
【図４】複合機のハードウェア構成を示す図である。
【図５】ジョブの実行速度切替を説明するための図である。
【図６】コピー機能の初期画面を示す図である。
【図７】送信機能の初期画面を示す図である。
【図８】設定項目一覧画面を示す図である。
【図９】編集したショートカットの登録画面を示す図である。
【図１０】プログラム選択画面を示す図である。
【図１１】プログラム編集のメニュー画面を示す図である。
【図１２】プログラムの編集登録画面を示す図である。
【図１３】ワンタッチキー一覧画面を示す図である。
【図１４】特定操作に応じたジョブ実行速度制御の流れを示すフローチャートである。
【図１５】特定操作の速度設定画面を示す図である。
【発明を実施するための形態】
【００１１】
以下、本発明の実施形態を図１〜図１５を用いて説明する。以下の説明では、原稿読取部１（ジョブ実行部に相当）と印刷部２（ジョブ実行部に相当）を含む複合機１００（画像形成装置に相当）を例に挙げ説明する。但し、本実施の形態に記載されている構成、配置等の各要素は、発明の範囲を限定するものではなく単なる説明例にすぎない。
【００１２】
（画像形成装置の概略）
まず、図１を用いて、実施形態に係る複合機１００の概略を説明する。図１は、複合機１００を示す図である。
【００１３】
図１に示すように、複合機１００の正面前方には、複合機１００に関して各種設定を行うための操作パネル３（操作部に相当）が設けられる（詳細は後述）。又、図１に示すように、本実施形態の複合機１００は、上部に、画像読取部１ａと原稿搬送部１ｂを含む原稿読取部１が設けられる。又、複合機１００の内部に印刷部２として、給紙部４ａ、搬送部４ｂ、画像形成部５ａ、中間転写部５ｂ、定着部５ｃ、排出搬送部４ｃ、両面搬送部４ｄを含む。
【００１４】
複数の給紙部４ａは、それぞれ印刷に用いる用紙Ｐを収容する。各給紙部４ａは、それぞれ回転駆動する給紙ローラー４１を含む。印刷のとき、何れかの給紙ローラー４１が回転し、１枚ずつ搬送部４ｂに用紙Ｐを送り込む。
【００１５】
搬送部４ｂは、用紙Ｐの案内のためのガイド板や、回転して用紙Ｐを搬送する搬送ローラー対４２ａ、４２ｂ、４２ｃや、形成されたトナー像の転写タイミングに合わせ用紙Ｐを送り出すレジストローラー対４３を含む。
【００１６】
画像形成部５ａは、複数の画像形成ユニット５０（ブラック用の５０Ｂｋ、イエロー用の５０Ｙ、シアン用の５０Ｃ、マゼンタ用の５０Ｍ）と露光装置５１を含む。各画像形成ユニット５０は、感光体ドラム、帯電装置、現像装置、清掃装置などを含む。露光装置５１は、画像データに基づき、レーザ光を点消灯しつつ出力し、各感光体ドラムを走査露光する。各画像形成ユニット５０と露光装置５１により、感光体ドラムの周面上にトナー像が形成される。
【００１７】
中間転写部５ｂは、各１次転写ローラー５２Ｂｋ〜５２Ｍ、中間転写ベルト５３、駆動ローラー５４、複数の従動ローラー５５（５５ａ〜５５ｃ）、２次転写ローラー５６、ベルト清掃装置５７を含む。中間転写ベルト５３は、各画像形成ユニット５０からトナー像の１次転写を受け、シートに２次転写を行う。
【００１８】
定着部５ｃは、用紙Ｐに転写されたトナー像を定着させる。定着部５ｃは、発熱体を内蔵する加熱ローラー５８とこれに圧接する加圧ローラー５９を含む。加熱ローラー５８と加圧ローラー５９のニップに用紙Ｐが通過すると、トナーが溶融・加熱され、トナー像が用紙Ｐに定着する。
【００１９】
排出搬送部４ｃは、定着部５ｃから排出された用紙Ｐを排出トレイ４４方向又は両面搬送部４ｄ方向に用紙搬送方向を仕分ける。用紙Ｐの搬送方向の切り替えのため、切替弁４５を有する。そして、排出搬送部４ｃの排出ローラー対４６は、正回転方向に回転駆動して排出トレイ４４方向に送り出す。尚、両面印刷のとき、排出ローラー対４６は、用紙Ｐをスイッチバックさせ、片面印刷済みの用紙Ｐを両面搬送部４ｄに導く。両面搬送部４ｄの両面搬送ローラー対４７、４８、４９（計３つ）は片面印刷済の用紙Ｐをレジストローラー対４３の上流まで搬送する。
【００２０】
（原稿読取部１）
次に、図２を用いて、実施形態に係る原稿読取部１を説明する。図２は、原稿読取部１を示す図である。
【００２１】
本実施形態の複合機１００は、原稿読取ための主要構成として、原稿搬送部１ｂと画像読取部１ａを含む。
【００２２】
原稿搬送部１ｂは、複合機１００の最上位に設けられる。原稿搬送部１ｂは、原稿搬送方向上流側から順に、原稿トレイ１１、原稿Ｄ給紙ローラー１２ａ、原稿搬送路１２ｂ、複数の原稿搬送ローラー対１２ｃ、原稿排出ローラー対１２ｄ、原稿排出トレイ１３等を含む。そして、原稿搬送部１ｂは、搬送読取用コンタクトガラス１４ａ（読み取り位置）に向け原稿トレイ１１に載置された原稿Ｄを１枚ずつ、自動的、連続的に搬送する。尚、原稿搬送部１ｂは、図１、図２の紙面奥側を支点として画像読取部１ａに対し上下方向に開閉自在に取り付けられ、各コンタクトガラスを上方から押さえる板として機能する。
【００２３】
次に、本実施形態における画像読取部１ａを説明する。画像読取部１ａは、搬送される原稿Ｄを読み取るための搬送読取用コンタクトガラス１４ａと、載置された原稿Ｄを読み取るための載置読取用コンタクトガラス１４ｂを上面に有する。
【００２４】
又、図２に示すように、画像読取部１ａは、筐体内に、ランプ１５ａと第１ミラー１５ｂが取り付けられた第１移動枠１５ｃと、第２ミラー１５ｄと第３ミラー１５ｅが取り付けられた第２移動枠１５ｆ、ワイヤ１５ｇ、巻取ドラム１５ｈ、レンズ１５ｉ、原稿Ｄで反射された光が入射され、１ライン毎に原稿Ｄを読み取り、画像データを生成するためのイメージセンサー１６のような光学系部材を含む。ランプ１５ａから発せられた光は、各コンタクトガラス上の原稿Ｄに当たり、反射光を各ミラーで反射させて、レンズ１５ｉに導く。レンズ１５ｉは反射光を集光し、イメージセンサー１６に入射する。
【００２５】
第１移動枠１５ｃ及び第２移動枠１５ｆには複数本のワイヤ１５ｇが取り付けられる（図２では、便宜上１本のみ図示）。ワイヤ１５ｇの他端は巻取ドラム１５ｈに接続され、巻取モーター１５ｍ（図５参照）により、巻取ドラム１５ｈが正逆回転し、第１移動枠１５ｃと第２移動枠１５ｆは水平方向に自在に移動する。
【００２６】
原稿搬送部１ｂにより搬送される原稿Ｄを読み取るとき、巻取モーター１５ｍが駆動した後、第１移動枠１５ｃと第２移動枠１５ｆは、搬送読取用コンタクトガラス１４ａの下方位置（読み取り位置）に固定される。そして、通過する原稿Ｄに対し、ランプ１５ａは光を照射する。一方、載置読取用コンタクトガラス１４ｂ上に載置された原稿Ｄを読み取る場合、第１移動枠１５ｃ及び第２移動枠１５ｆを、巻取ドラム１５ｈやワイヤ１５ｇ等により、ホームポジションから図２の右方向に水平に移動させ、走査動作を、順次原稿端部まで連続的に行う。
【００２７】
（操作パネル３）
次に、図１、図３を用いて、実施形態に係る操作パネル３の一例を説明する。図３は、操作パネル３の一例を示す図である。
【００２８】
まず、複合機１００は、コピー機能（コピージョブ）や、原稿Ｄを読み取って得られたデータをいずれかの場所に格納する送信機能（送信ジョブ）や、複合機１００の記憶装置６１（図４参照）に記憶された画像データを利用するボックス機能のような複数の機能を有する。言い換えると、複合機１００では、実行できるジョブの種類が多数に及ぶ。
【００２９】
これらの機能の設定のため、操作パネル３が設けられる。操作パネル３は、複合機１００の正面上方に設けられる（図１参照）。そして、操作パネル３は、用いる機能を選択するためにコピーキー３３ａや送信キー３３ｂのようなハードキーを含む機能選択キー群３３を含む。また、操作パネル３には、数字入力用のテンキー部３４や、各種設定後、ジョブの開始指示用のスタートキー３５（入力部に相当）等が設けられる。
【００３０】
また、操作パネル３は表示部３１を含む。表示部３１は、機能を利用するうえで（ジョブを実行するうえで）、各機能で設定可能な設定項目の選択するための画面や、選択した設定項目の設定画面や、設定値の設定用のキーを表示する。例えば、表示部３１は、液晶や有機ＥＬのような表示パネルである。また、タッチパネル部３２が表示部３１に対し（表示部３１の上面に）設けられる。タッチパネル部３２は、表示部３１の領域内のタッチされた位置（座標）を検知するためのものである。タッチパネル部３２の出力に基づき、タッチされた位置に表示される画像、キーなどが認識され、使用者の操作が受け付けられる。
【００３１】
（複合機１００等のハードウェア構成）
次に、図４を用いて、実施形態に係る複合機１００のハードウェア構成の一例を説明する。図４は、複合機１００のハードウェア構成を示す図である。
【００３２】
まず、主制御部６が設けられる。主制御部６は、操作パネル３、原稿読取部１、印刷部２、記憶装置６１、通信部６２などと接続され、複合機１００の制御を司る。主制御部６のＣＰＵ６３は、制御のための演算などの処理を行う。画像処理部６４は、原稿Ｄの読み取りで得られた画像データや、通信部６２で受信された画像データに対し、操作パネル３でなされた設定に応じた画像処理を行い、印刷や送信用の画像データを生成する。
【００３３】
記憶装置６１は、ＲＯＭ、ＲＡＭ、ＨＤＤ等の不揮発性と揮発性の記憶装置６１を組み合わせて構成される。制御用のデータやプログラムや画像データや設定に関するデータを記憶し、主制御部６は記憶装置６１に記憶内容に基づいて制御を行う。
【００３４】
通信部６２は、主制御部６の指示に基づき、ネットワークや通信回線やケーブルを介して、コンピューター２００やＦＡＸ装置３００と通信を行う。通信部６２は、コンピューター２００やＦＡＸ装置３００に画像データを送信できる。また、主制御部６は、コンピューター２００やＦＡＸ装置３００から画像データを受信させ、受信画像データに基づいて印刷部２に印刷を行わせることができる。
【００３５】
また、主制御部６は、原稿搬送部１ｂ、画像読取部１ａと接続され、動作の指示を出して制御を行う。また、主制御部６は印刷部２を制御するエンジン制御部２０と接続される。エンジン制御部２０は、主制御部６の指示に基づき、給紙部４ａ、搬送部４ｂ、画像形成部５ａ、中間転写部５ｂ、定着部５ｃ、排出搬送部４ｃ、両面搬送部４ｄなどの動作を制御し、印刷部２に印刷を行わせる。
【００３６】
又、主制御部６は、操作パネル３になされた入力を認識し、使用者の設定にあわせてコピー等が行われるように複合機１００を制御する。操作パネル３で、例えば、両面印刷の設定がなされると、例えば、主制御部６は、エンジン制御部２０に指示を与え、排出搬送部４ｃ、両面搬送部４ｄを動作させ、用紙Ｐの両面に印刷を行わせる。
【００３７】
操作パネル３は、パネル制御部３０、メモリー３６（記憶部に相当）、ドライバ回路３０ａ、表示部３１、タッチパネル部３２を含む。パネル制御部３０は、ＣＰＵやＩＣ等で構成され、表示部３１の表示を制御する。また、パネル制御部３０は、タッチパネル部３２の出力を受け、どのキーや画像の表示位置がタッチされたかを認識し、なされた操作を認識する。
【００３８】
そして、表示部３１で表示される画面、画像の画像データは、操作パネル３内のメモリー３６が記憶する。従って、パネル制御部３０は、設定項目の選択するためのキーのような何れかのキーの表示位置がタッチされると、次に表示すべき画面の画像データをメモリー３６から読み出し、パネル制御部３０は、表示部３１で表示を行うための画像データを、表示部３１を実際に制御するドライバ回路３０ａに指示を与え、表示部３１の表示内容をなされた操作に応じた態様に変化させる。尚、表示部３１が表示する画面、画像の画像データを本体側の記憶装置６１に記憶させ、パネル制御部３０は、記憶装置６１からの受ける画像データに基づき、表示部３１に表示を行わせてもよい。
【００３９】
また、パネル制御部３０は、機能選択キー群３３に含まれるハードキーやテンキー部３４やスタートキー３５のようなハードキーと接続される。そして、パネル制御部３０は、タッチ操作された（押された）ハードキーを認識する。
【００４０】
（通常モードと静音モード）
次に、図５を用いて、実施形態に係る複合機１００でのジョブの実行速度に関するモードについて説明する。図５は、ジョブの実行速度切替を説明するための図である。
【００４１】
本実施形態の複合機１００は、通常の速度でジョブ実行する通常モードを有する。また、複合機１００は、通常モードよりもジョブの実行速度を遅くして、ジョブの実行に伴って複合機１００からの音量（発する音のレベル）を抑える静音モードを有する。通常モードは、仕様上、予め定められた通常のジョブの実行速度（例えば、仕様上の１分間あたりの印刷枚数や原稿読取枚数）でジョブを実行するモードである。
【００４２】
静音モードでは、ジョブの実行速度が抑えられる。そのため、原稿Ｄや用紙Ｐの送り出し音や、原稿Ｄや用紙Ｐが搬送ガイドに衝突する音や擦れにより生ずる音や、各種モーターの回転音や、ジョブ実行に際して回転する回転体や機械要素（ローラーやローラーを回転させるギア）から生ずる音のような複合機１００のジョブ実行に伴い生ずる音の大きさを抑えることができる。言い換えると、静音モードでは、通常モードよりも複合機１００から生ずる音を抑えることができる。
【００４３】
具体的に、静音モードでのジョブの実行速度（以下、「静音モード速度」）は、通常モードでのジョブの実行速度（以下、「通常モード速度」）の１／２や１／３や３／４や２／３や、３／５程度でもよく適宜定められる。言い換えると、通常モード速度は、静音モード速度よりも速い。以下の説明では、静音モード速度を通常モード速度の１／２（半速）とする例を説明する。
【００４４】
静音モードでジョブを実行するか、通常モードでジョブを実行するかの指示は、操作パネル３で行うことできる。そのため、操作パネル３には、静音モードでジョブを実行するか、通常モードでジョブを実行するかを定めるためのモード設定キー３７が設けられる。モード設定キー３７は、操作パネル３にハードキーとして設けられてもよいし、表示部３１にソフトキーとして表示されてもよい。
【００４５】
また、本実施形態の複合機１００では、静音モードでジョブを実行するか、通常モードでジョブを実行するかは、ジョブに関し操作パネル３になされた操作（特定操作の有無）に基づき定まる（詳細は後述）。これにより、モード設定キー３７を用いて設定せずに、自動的に静音モード速度でのジョブの実行がなされる。
【００４６】
次に、ジョブの実行速度の制御について説明する。本実施形態の複合機１００では、原稿読取部１の原稿搬送部１ｂには、原稿搬送制御部１０ｂが設けられる。原稿搬送制御部１０ｂは、主制御部６の指示に基づき、原稿搬送を制御する。原稿搬送制御部１０ｂは、ＣＰＵやＲＯＭやＲＡＭやＩＣや素子を含む回路（基板）である。
【００４７】
コピージョブ（原稿読取部１の原稿読み取りに基づく画像データを用いて、印刷するジョブ）や、送信ジョブ（原稿読取部１の原稿読み取りに基づく画像データをコンピューター２００やＦＡＸ装置３００や記憶装置６１に送信するジョブ）のとき、原稿搬送制御部１０ｂは、原稿トレイ１１に載置された原稿Ｄを１枚ずつ搬送する。尚、原稿読取部１には、原稿トレイ１１に原稿Ｄがあるか否かを検知するための原稿検知センサー１０ｓが設けられる。
【００４８】
原稿搬送制御部１０ｂは、原稿トレイ１１に載置された原稿Ｄを搬送する回転体を回転させる原稿搬送モーター１０ｍを制御する。原稿搬送制御部１０ｂは、静音モードでジョブを実行するとき、通常モードでジョブを実行するときよりも、原稿搬送モーター１０ｍの回転速度を遅くする（１／２程度とする）。これにより、静音モードでは、原稿搬送制御部１０ｂは、通常モードのときよりも１／２程度の速度で原稿Ｄを搬送する。
【００４９】
また、原稿読取部１の画像読取部１ａには、読取制御部１０ａが設けられる。読取制御部１０ａは、主制御部６の指示に基づき、原稿Ｄの読み取りを制御する。読取制御部１０ａは、ＣＰＵやＲＯＭやＲＡＭやＩＣや素子を含む回路（基板）である。
【００５０】
読取制御部１０ａは、各移動枠（ランプ１５ａや各ミラー）を移動させる巻取モーター１５ｍの回転速度や、回転方向を制御する。また、読取制御部１０ａは、ランプ１５ａの点消灯を制御する。読取制御部１０ａは、原稿Ｄを読み取るとき、ランプ１５ａを点灯し、読み取りが終了するとランプ１５ａを消灯させる。また、読取制御部１０ａは、イメージセンサー１６の動作を制御する。また、読取制御部１０ａは、イメージセンサー１６のアナログ出力に基づき、Ａ／Ｄ変換部１７に画像データを生成させる。また、読取制御部１０ａは、Ａ／Ｄ変換部１７により生成された画像データに対し、読取データ処理部１８に各種補正や調整のための画像処理を行わせる。また、読取制御部１０ａは、画像メモリー１９に読取データ処理部１８が処理した画像データを蓄積させ、画像データを主制御部６や記憶装置６１に向けて送信させる。
【００５１】
コピージョブや、送信ジョブのとき、読取制御部１０ａは、搬送される原稿Ｄや、巻取モーター１５ｍを動作させて載置読取用コンタクトガラス１４ｂに載置された原稿Ｄを読み取らせる。
【００５２】
読取制御部１０ａは、静音モードで載置読取用コンタクトガラス１４ｂに載置された原稿Ｄの読み取りを伴うジョブを実行するとき、通常モードでジョブを実行するときよりも、巻取モーター１５ｍの回転速度を遅くする（１／２程度とする）。これにより、静音モードでは、読取制御部１０ａは、原稿Ｄの読み取り速度を通常モードのときよりも１／２程度とする。
【００５３】
読取制御部１０ａは、静音モードで原稿Ｄの読み取りを行うとき、イメージセンサー１６やＡ／Ｄ変換部１７や読取データ処理部１８や画像メモリー１９の動作速度（動作クロック）を通常モードのときよりも遅い速度で動作させてもよい（例えば、動作周波数を１／２程度とする）。あるいは、読取制御部１０ａは、イメージセンサー１６やＡ／Ｄ変換部１７や読取データ処理部１８や画像メモリー１９を通常モードと、静音モードとで同じ速度で動作させてもよい。この場合、原稿搬送方向（副走査方向）でのライン数は予め定められた読取解像度に比べ多くなるので、読取制御部１０ａは不要なラインを読取データ処理部１８に間引き処理させる。
【００５４】
また、印刷部２には、エンジン制御部２０が設けられる。エンジン制御部２０は、主制御部６の指示に基づき、印刷速度（単位時間あたりの印刷枚数）を制御する。エンジン制御部２０は、エンジンＣＰＵ２１やエンジンメモリー２２やＩＣや素子を含む回路（基板）である。
【００５５】
エンジン制御部２０は、印刷部２内に設けられる印刷用モーター２３のＯＮ／ＯＦＦや回転速度を制御する。印刷用モーター２３は、１又は複数設けられる。印刷用モーター２３は、印刷に用いる用紙搬送用のローラーや、用紙搬送を行いつつ印刷に関する処理を行う回転体（中間転写ベルト５３や２次転写ローラー５６や定着部５ｃのローラーか画像形成部５ａの回転体など）やトナー像の形成に関する回転体（例えば、感光体ドラム）のような印刷時に回転する回転体を回転させる。また、読取制御部１０ａは、感光体ドラムの走査、露光を行う露光装置５１内のポリゴンミラーを回転させるポリゴンモーター２４のＯＮ／ＯＦＦや回転速度を制御する。
【００５６】
コピージョブや、コンピューター２００のような外部から送信されたデータに基づき印刷を行うプリントジョブや、記憶装置６１に蓄積された画像データに基づき印刷を行うボックス印刷ジョブのとき、エンジン制御部２０は、印刷部２に印刷を行わせる。
【００５７】
エンジン制御部２０は、静音モードで印刷に関するジョブを実行するとき、通常モードでジョブを実行するときよりも、印刷用モーター２３の回転速度を遅くする（１／２程度とする）。これにより、静音モードでは、エンジン制御部２０は、印刷ジョブの実行速度を通常モードのときよりも１／２程度とする。
【００５８】
また、エンジン制御部２０は、静音モードで感光体ドラムの走査、露光を行うとき、通常モードよりも感光体ドラムの回転速度が遅くなるのにあわせて、ポリゴンモーター２４の回転速度を通常モードよりも遅くしてもよい（例えば、ポリゴンモーター２４に入力する駆動信号の周波数を１／２程度とする）。あるいは、エンジン制御部２０は、静音モードでは、ポリゴンモーター２４の回転速度を同じとしつつ、減速率にあわせて、数ラインに１ラインの割合で、感光体ドラムの走査、露光を行うようにしてもよい（例えば、２ライン中、１ラインのみ画像データにあわせて露光する）。
【００５９】
（通常操作）
次に、図６、図７を用いて、実施形態に係る複合機１００での設定のうちの通常の操作を説明する。図６は、コピー機能の初期画面７１を示す図である。図７は、送信機能の初期画面７２を示す図である。尚、他の機能の初期画面も存在するが説明を省略する。
【００６０】
パネル制御部３０は、操作パネル３の機能選択キー群３３（ハードキー）の１つとして設けられたコピーキー３３ａが押されると、コピー機能の初期画面７１を表示する。また、パネル制御部３０は、機能選択キー群３３の１つとして設けられた送信キー３３ｂが押されると、送信機能の初期画面７２を表示する。
【００６１】
本実施形態の複合機１００は、多数にわたる設定可能な機能（設定項目）を備える。そして、パネル制御部３０は、複数の設定項目のうち、設定を行う設定項目を選択するためのキーを表示部３１に表示させる。例えば、図６では、コピー機能の初期画面７１に、よく用いられる６つの設定項目の選択キーＫ１を表示する例を示している。その他の設定項目を用いるとき、使用者は、機能一覧キーＫ２の表示位置をタッチする。また、図７では、送信機能の初期画面７２に送信方法を選択するための選択キーＫ３を表示する例を示している。その他の送信に関する設定項目を選択するとき、使用者は、機能一覧キーＫ２の表示位置をタッチする。
【００６２】
操作パネル３のパネル制御部３０は、設定項目を選択する操作がなされると、選択された設定項目用の設定画面を表示する。使用者は、設定画面に表示されるキーの表示位置や、操作パネル３のハードキーを押して、選択した設定項目の設定値を設定する。例えば、コビー機能を用いるとき、使用者の操作とタッチパネル部３２の出力に基づき、パネル制御部３０は、両面印刷の設定項目が選択されたと認識すると、両面印刷に関する設定画面を表示部３１に表示させ、両面印刷の設定画面に関する設定値を認識する。
【００６３】
このように、通常、複合機１００のコピーや送信のような機能の設定項目を選択し、設定値を設定するには、最上層の初期画面から、設定項目の選択や設定値を設定するキー操作を１回ずつ繰り返す。そして、１回の通常のキー操作ごとに、パネル制御部３０は、表示部３１の表示を切り換えさせ、最終的に、設定項目の設定が選択、設定しようとする機能の設定値が設定される（通常操作）。この機能の選択、設定が行われたことをパネル制御部３０は認識し、その内容を主制御部６に送信する。これにより、主制御部６は、操作パネル３で選択、設定された機能を反映した動作を原稿読取部１や印刷部２に行わせ、使用者の意思（例えば、濃度設定や拡大縮小など）が反映されたジョブの結果が得られる。
【００６４】
（特定操作・ショートカット）
次に、図８、図９を用いて、特定操作のうちのショートカットを説明する。図８は設定項目一覧画面７３を示す図である。図９は、編集したショートカット登録画面７４を示す図である。
【００６５】
ここで、特定操作とは、予め内容が登録された（メモリー３６に記憶された）操作であって、操作パネル３の状態を１回のタッチ操作で複数タッチ分の操作がなされた状態とする操作である。
【００６６】
本実施形態の複合機１００では、コピーや送信などの各機能について、多数の設定項目が用意されている。そして、本実施形態の複合機１００では、ショートカットの特定操作を行えるようになっている。ショートカットの特定操作は、１タッチの操作（呼び出し操作）を行うだけで、予め登録していた設定項目の設定画面を表示させる操作である。
【００６７】
通常の操作では、所望の設定画面を表示させるには、設定項目を選ぶための画面を表示させる操作や、設定項目を選ぶための画面のページを切り替える操作や、設定項目を選択する操作のような複数回のタッチ操作（ステップ）が必要である。しかし。このショートカットの特定操作により、１タッチで簡易に設定画面を表示させることができる。
【００６８】
ショートカットの特定操作を行うには、使用者は、ショートカットキーＫ４の表示位置をタッチする。図６では、パネル制御部３０がコピー機能の初期画面７１の下方の位置に２つのショートカットキーＫ４を表示部３１に表示させる例を示している。
【００６９】
そして、操作パネル３は、ショートカットキーＫ４の内容（どの設定項目の設定画面を表示させるか）の編集を受け付ける。パネル制御部３０は、設定項目を選択するための設定項目一覧画面７３内や、各種設定画面内に、ショートカット編集キーＫ５を表示する。図８の例では、コピー機能での設定項目一覧画面７３内に、ショートカット編集キーＫ５を表示する例を示している。
【００７０】
ショートカット編集キーＫ５の表示位置がタッチされると、パネル制御部３０は、ショートカット登録画面７４を表示部３１に表示させる。パネル制御部３０（操作パネル３）は、ショートカット登録画面７４に対してなされた、ショートカットキーＫ４がタッチされたときに設定画面を表示させる設定項目を選択する入力や、ショートカットキーＫ４の名前を付す入力を受け付ける。
【００７１】
そして、ショートカット登録画面７４内に設けられた登録キーＫ６の表示位置がタッチされると、メモリー３６は、ショートカット登録画面７４でなされた設定内容を記憶する。以後、パネル制御部３０は、メモリー３６の記憶内容に基づき、表示位置がタッチされたショートカットキーＫ４に関連付けられた設定画面を表示部３１にさせる。
【００７２】
（特定操作・プログラム）
次に、図６、図７、図１０〜図１２を用いて、特定操作のうちのプログラムを説明する。図１０はプログラム選択画面７５を示す図である。図１１は、プログラム編集のメニュー画面７６を示す図である。図１２はプログラムの編集登録画面７７を示す図である。
【００７３】
本実施形態の複合機１００では、プログラムの特定操作を行えるようになっている。プログラムの特定操作は、１タッチの呼び出し操作を行うだけで、操作パネル３を予め登録していた（定義されている）設定項目の設定値が設定されている状態とする操作である。尚、本実施形態の複合機１００では、プログラムの特定操作を、１タッチの呼び出し操作を行うだけで、予め登録しておいた複数の設定項目の設定画面をウィザード形式で順番に表示させるための操作として登録しておくこともできる。
【００７４】
通常の操作では、複数の設定項目に関し、設定値が設定された状態とするには、設定項目の選択する操作や、設定値の設定する操作のようなタッチ操作を複数回繰り返す必要がある。しかし、プログラムの特定操作により、１タッチで操作パネル３を１又は複数の設定項目の設定値を設定することができる。
【００７５】
プログラムの特定操作を行うには、使用者は、プログラムキーＫ７の表示位置をタッチする。図６や図７では、下方の位置にプログラムキーＫ７が配される例を示している。
【００７６】
プログラムキーＫ７の表示位置がタッチされると、パネル制御部３０は、予め登録されたプログラムを選択するためのプログラム選択画面７５を表示部３１に表示させる（図１０参照）。図１０では、プログラムに対応する各プログラム選択キーＫ８（計６つ）を表示部３１に表示する例を示している。使用者は、操作パネル３に対して操作を行い、呼び出したいプログラムに対応するプログラム選択キーＫ８の表示位置をタッチする。これにより、操作パネル３は、呼び出されたプログラムで予め定められた（定義された）設定値が設定され、呼び出されたプログラムで予め定められた（定義された）表示がなされる。
【００７７】
また、パネル制御部３０は、タッチパネル部３２の出力に基づき、プログラムの内容（呼び出すと、どの設定項目のどの設定値が設定された状態とするか）を登録するための編集操作を認識する。パネル制御部３０は、プログラム選択画面７５に編集操作を行うためのプログラムメニューキーＫ９を表示する。図１０の例では、プログラム選択画面７５の下方にプログラムメニューキーＫ９が表示される例を示している。
【００７８】
プログラムメニューキーＫ９の表示位置がタッチされると、パネル制御部３０は、新規登録キーＫ１０、編集キーＫ１１、削除キーＫ１２を表示部３１に表示させる（図１１参照）。新規登録キーＫ１０は、新たにプログラムを登録するときに操作される。編集キーＫ１１は、登録済みのプログラムの内容を編集するときに操作される。削除キーＫ１２は、登録済みのプログラムを削除するときに操作される。
【００７９】
新規登録キーＫ１０の表示位置がタッチされたときや、編集キーＫ１１がタッチされたとき、パネル制御部３０は、プログラムの編集登録画面７７を表示部３１に表示させる。パネル制御部３０は、タッチパネル部３２の出力に基づき、プログラムの編集登録画面７７で、ジョブの種類（コピーや送信など）や、プログラムの名称や、設定項目の選択や、選択した設定項目の設定値（図１２参照）や、宛先などのようなプログラムの内容を定める使用者の操作を認識する。
【００８０】
そして、プログラムの編集登録画面７７内に設けられた登録キーＫ１３の表示位置がタッチされると、メモリー３６は、プログラムの編集登録画面７７でなされた設定内容を記憶する。以後、パネル制御部３０は、メモリー３６の記憶内容に基づき、操作パネル３を、表示位置がタッチされたプログラム選択キーＫ８に対応するプログラム（選択されたプログラム）で予め定められた設定値が設定された状態とする。
【００８１】
（特定操作・ワンタッチ）
次に、図７、図１３を用いて、特定操作のうちのワンタッチを説明する。図１３はワンタッチキー選択画面７８を示す図である。
【００８２】
本実施形態の複合機１００では、ワンタッチの特定操作を行えるようになっている。ワンタッチの特定操作は、１タッチの呼び出し操作を行うだけで、予め登録していた送信ジョブの宛先（送信先アドレス。例えば、ＦＡＸ番号や、Ｅメールアドレスや、ネットワークアドレス）が設定された状態とする操作である。
【００８３】
通常の操作では、テンキー部３４や表示部３１に表示されるソフトウェアキーボード（不図示）を用いて宛先を入力するか、予め登録された宛先のデータベースであるアドレス帳機能を利用して宛先をアドレス帳から選択することで、宛先が設定される。このような宛先の設定方法では、複数回タッチ操作を繰り返す必要があるが、しかし、予めワンタッチの特定操作について、よく用いる送信先を登録しておけば、１タッチで宛先を設定することができる。
【００８４】
ワンタッチの特定操作を行うには、使用者は、ワンタッチキー選択画面７８を表示部３１に表示させる。送信機能の初期画面７２内に配されたワンタッチキー選択画面７８を呼び出すための選択キーＫ３の表示位置がタッチされると、パネル制御部３０は、ワンタッチキー選択画面７８を表示部３１に表示させる（図７参照）。
【００８５】
パネル制御部３０は、ワンタッチキー選択画面７８に、予め登録されたワンタッチキーＫ１４を表示部３１に一覧表示させる（図１３参照）。図１３では、１画面内に、１２のワンタッチキーＫ１４が表示される例を示している。使用者は、呼び出したい宛先（ワンタッチキーＫ１４）の表示位置をタッチする。これにより、パネル制御部３０は、呼び出された宛先に送信を行う設定がなされたと認識する。
【００８６】
また、図示は割愛するが、パネル制御部３０（操作パネル３）は、ワンタッチの登録内容の編集操作を受け付ける。パネル制御部３０は、タッチパネル部３２の出力に基づき、送信先アドレスや、ワンタッチキーＫ１４の名称などのようなワンタッチの特定操作の内容を定義するための使用者による操作を認識する。
【００８７】
そしてメモリー３６は、ワンタッチの内容を記憶する。以後、ワンタッチキーＫ１４がタッチされると、パネル制御部３０は、メモリー３６の記憶内容に基づき、表示位置がタッチされたワンタッチキーＫ１４に対応する宛先がジョブ（画像データ）送信の宛先と認識する。
【００８８】
尚、上記の例では、ワンタッチキーＫ１４を表示部３１に表示されるソフトキーとして設ける例を説明したが、操作パネル３上でハードキーとしてワンタッチキーＫ１４を設けてもよい。
【００８９】
（特定操作の有無に応じたジョブ実行速度）
次に、図１４、図１５を用いて、特定操作の有無に応じたジョブ実行速度を説明する。図１４は、特定操作に応じたジョブ実行速度制御の流れを示すフローチャートである。図１５は、特定操作の速度設定画面７９を示す図である。
【００９０】
本実施形態の複合機１００では、スタートキー３５により実行が指示された特定操作の有無によって、ジョブの実行速度を替える。言い換えると、特定操作をトリガとして、主制御部６は、自動的に静音モードでジョブを実行するか否かを判断する。
【００９１】
そこで、図１４を用いて、特定操作の有無に応じたジョブ実行速度の制御の流れを説明する。図１４のスタートは、複合機１００の電源が投入され、使用者によるジョブの設定を受け付ける待機状態である。
【００９２】
操作パネル３（パネル制御部３０）は、実行しようとするジョブに関する設定を受け付ける（ステップ♯１）。なお、使用者によりなされた設定入力の内容は、パネル制御部３０から主制御部６に伝達される。そして、操作パネル３（パネル制御部３０）は、ジョブの実行開始の指示がなされたか否かを確認する（ステップ♯２）。パネル制御部３０は、スタートキー３５が押されたことや、表示部３１に表示されるジョブの実行開始を指示するキーの表示位置がタッチされたとき、ジョブの実行開始の指示がなされたと認識する。
【００９３】
まだジョブの実行開始の指示がなされていなければ（ステップ♯２のＮｏ）、操作パネル３（パネル制御部３０）は、引き続き、ジョブの設定入力を受け付ける状態を保つ（ステップ♯１に戻る）。
【００９４】
一方、実行開始の指示がなされたとき（ステップ♯２のＹｅｓ）、主制御部６は、実行指示がなされたジョブ（実行しようとするジョブ）の設定入力の間に、特定操作がなされたか否かを確認する（ステップ♯３）。言い換えると、主制御部６は、特定操作がなされたジョブか否かを確認する。
【００９５】
特定操作がなされておらず、通常操作のみなされたジョブのとき（ステップ♯３のＮｏ）、主制御部６は静音モード速度でジョブを実行させる（ステップ♯４）。主制御部６は、ジョブの種類に応じ、静音モード速度で原稿搬送のような原稿読取処理を原稿読取部１に行わせ、用紙搬送やトナー像形成のような印刷処理を印刷部２に行わせる。
【００９６】
そして、フローは終了する（エンド）。そして、主制御部６は、表示部３１に初期画面を表示させ、次のジョブの設定を受け付ける状態となる。使用者のジョブの設定入力がなされると、フローが再びステップ♯１から開始される。
【００９７】
特定操作がなされているとき（ステップ♯３のＹｅｓ）、主制御部６は通常モード速度でジョブを実行してよいか否かを確認する（ステップ♯５）。
【００９８】
ここで、図９、図１５を用いて、特定操作が行われたときのジョブの実行速度の設定を説明する。図１５は、実行するジョブの速度設定画面７９を示す図である。
【００９９】
本実施形態では、特定操作が行われたとき、通常モード速度でジョブを実行するか静音モード速度でジョブを実行するか設定可能である。
【０１００】
具体的に、特定操作を登録するとき、パネル制御部３０は、その特定操作がなされたときに静音モード速度でジョブを実行するか、通常モード速度でジョブを実行するかの速度設定を受け付ける。そして、特定操作の内容をメモリー３６に記憶させるとき、速度設定の内容もあわせて記憶される。これにより、特定操作ごとに、速度設定を行うことができ、特定操作ごとに、速度設定の内容が記憶される。そのため、特定操作の内容や目的に応じて、ジョブの実行速度を設定することができる。
【０１０１】
また、パネル制御部３０は、特定操作ごとではなく、統一的に、特定操作が行われたときのジョブの速度設定を受け付けるようにしてもよい。図１５は、特定操作の種類の単位で速度設定を受け付けるための速度設定画面７９を示している。
【０１０２】
速度設定画面７９には、特定操作の種類ごとに、特定操作がなされたときに通常モード速度でジョブを実行するときに表示位置がタッチされる通常モード速度キーＫ１５と、特定操作がなされたときに静音モード速度でジョブを実行するときに表示位置がタッチされる静音モード速度キーＫ１６が配される。いずれかのキーの表示位置にタッチすることにより、特定操作がなされたときのジョブの実行速度を設定することができる。ＯＫキーＫ１７の表示位置がタッチされたとき、操作パネル３（パネル制御部３０）は、メモリー３６や記憶装置６１に、なされた速度設定の内容を記憶する。
【０１０３】
そして、メモリー３６や記憶装置６１に記憶された速度設定に基づき、主制御部６は、特定操作がなされたジョブの実行速度を定める。言い換えると、主制御部６は、記憶された速度設定に基づいて、特定操作がなされたジョブを静音モード速度で実行するか、通常モード速度で実行するかを確認する。
【０１０４】
尚、図９を用いて説明したように、特定操作の登録の際に速度設定があわせてなされたとき、主制御部６は、速度設定画面７９による統一的なジョブの実行速度の設定がなされていても、特定操作の登録にあわせて設定された速度設定に基づいた速度でジョブを実行させる。
【０１０５】
通常モード速度でジョブを実行するとき（ステップ♯５のＹｅｓ）、主制御部６は、ジョブの種類に応じ、静音モード速度よりも速い通常モード速度での原稿搬送のような原稿読取処理を原稿読取部１に行わせ、用紙搬送やトナー像形成のような印刷処理を印刷部２に行わせる（ステップ♯６）。そして、フローは終了する（エンド）。一方、予めなされた速度設定に基づき、特定操作がなされても静音モード速度でジョブを実行すべきとき（ステップ♯５のＮｏ）、フローはステップ♯４に移行する。
【０１０６】
（ジョブの実行速度の変更）
次に、図５を参照して、ジョブの実行速度の変更について説明する。
【０１０７】
本実施形態の複合機１００では、特定操作の有無によってジョブの実行速度が自動的に決められる。そして、静音モード速度でジョブを実行して、複合機１００から生ずる音の大きさを抑えることができる。
【０１０８】
しかし、急いでいる使用者にとっては、静音モード速度で実行されるジョブを通常モード速度で実行させたいと思う場合もある。一方、複合機１００から生ずる音の大きさをできるだけ抑えたい使用者にとっては、通常モード速度で実行されるジョブを静音モード速度で実行させたいと思う場合もある。
【０１０９】
そこで、操作パネル３は、実行指示がなされたジョブの実行速度の変更を受け付ける。操作パネル３（パネル制御部３０）は、モード設定キー３７へのタッチ操作をジョブの実行速度の変更指示として受け付ける。また、パネル制御部３０は、実行指示がなされたジョブのモード切替のための画像を表示するようにしてもよい。具体的に、パネル制御部３０は、実行中や実行待ちのジョブの一覧とともに、実行中や実行待ちの各ジョブのそれぞれについて、静音モードでジョブを実行するか、通常モードでジョブを実行するかを選択するための画像（キーや図柄）を表示部３１に表示させる。そして、モード設定キー３７へのタッチや、表示部３１に表示されたモード選択のための画像の表示位置をタッチするような操作パネル３への実行速度の変更の操作がなされると、主制御部６は、実行中のジョブや、先行のジョブが実行されているために実行待機中のジョブについて、通常モード速度であれば静音モード速度へ、静音モード速度であれば通常モード速度へ、ジョブの実行速度を変化させる。
【０１１０】
そして、主制御部６は、原稿Ｄを読み取るジョブのとき、変更後のジョブ実行速度（通常モード速度又は静音モード速度）で原稿Ｄの読み取りを原稿読取部１に行わせる。また、主制御部６は、印刷を行うジョブのとき、変更後のジョブ実行速度（通常モード速度又は静音モード速度）で印刷を印刷部２に行わせる。
【０１１１】
（静音性の向上）
次に、図５を参照して、静音性を向上について説明する。
【０１１２】
本実施形態の複合機１００は、使用者にうるさいと不快感を持たせないようにするため、静音モード速度でのジョブを実行できる。また、その他にも、以下のような使用者の不快感を減らす処理、動作がなされる。
【０１１３】
まず、操作パネル３は、操作パネル３に設けられたソフトキーやハードキーに対するタッチ操作の操作音を発する発音部３８を含む（図５参照）。例えば、発音部３８は、電子音を発するスピーカーである。
【０１１４】
そして、原稿読取部１や印刷部２がジョブ実行している間では、発音部３８は、ジョブを実行していないときよりも操作音を大きくする。反対に、原稿読取部１や印刷部２がジョブ実行していないとき、発音部３８は、ジョブを実行しているときよりも操作音を小さくする。これにより、ジョブが実行されていないとき、操作音の音量を抑え、使用者に不快感を与えることを防ぐ。一方で、ジョブを実行しているときに大きな操作音を鳴らし、操作音が顕著に聞こえるようにしつつ、使用者にうるさいと不快感を覚えさせない。
【０１１５】
また、ジョブ実行のとき、複合機１００から生ずる音を抑えるため、主制御部６は、給紙部４ａから給紙を開始するタイミング（時点）と、原稿搬送部１ｂから原稿Ｄの送り出しを開始するタイミング（時点）を異ならせる。これにより、用紙Ｐの送り出しが重なって複合機１００から生ずる音が大きくなることを避けることができる。
【０１１６】
使用者は設定操作の簡略化を図って設定を素早く終わらせるために便利な特定操作を行う場合もあれば、定期的、ルーチンワーク的に実行するジョブの設定内容を登録しておき特定操作で設定内容を呼び出す場合もあれば、急がず特定操作を利用せずに通常の操作で逐一設定を行うような場合もある。
【０１１７】
そこで、本実施形態の画像形成装置画像形成装置（複合機１００）は、ジョブを実行するジョブ実行部（原稿読取部１、印刷部２）と、実行しようとするジョブで利用する設定項目を選択する操作と、実行しようとするジョブの設定値を設定する操作と、ジョブの実行指示を受け付ける操作部（操作パネル３）と、操作部を、１タッチの操作により複数タッチ分の操作がなされた状態とする特定操作の内容を記憶する記憶部（メモリー３６）と、を含み、ジョブ実行部は、設定操作中に操作部で特定操作がなされたジョブと、操作部に対する設定操作中に特定操作がなされず通常操作のみで設定されたジョブでは、ジョブ実行速度を異ならせる。
【０１１８】
これにより、使用者のジョブの設定操作から、高速でジョブを実行すべきか低速でジョブを実行すべきかを自動的に判断し、自動的にジョブの実行速度が変えられる。言い換えると、使用者がなした設定操作の内容に応じて、自動的にジョブの実行速度を切り替えることができる。また、逐一、画像形成装置（複合機１００）から生ずる音を抑えるため、静音モードでのジョブ実行を指示する操作がなくても静音モードでジョブを実行させることができる。
【０１１９】
又、使用者は急いでいるときに設定操作の簡略化を図って設定を素早く終わらせるため、便利な特定操作を行う場合が多い。また、特定操作を利用せずに通常の操作で逐一設定を行うということは、使用者は急いでいない場合がある。そこで、ジョブ実行部（原稿読取部１、印刷部２）は、操作部（操作パネル３）に対する設定操作中に特定操作がなされたジョブを通常のジョブ実行速度である通常モード速度で実行し、通常操作のみで設定されたジョブを通常モード速度よりもジョブ実行速度が遅い静音モード速度で実行する。
【０１２０】
これにより、使用者が急いでいると認められる場合には、ジョブは高速に実行され、使用者が別段急いでいないと認められる場合には、ジョブは低速で実行される。従って、使用者が急いでいるか否かを正確に判断したうえで、ジョブの実行速度を定めることができる。また、逐一、使用者がジョブの実行速度を設定しなくても、自動的に、適切な速度でジョブが実行される。
【０１２１】
又、定期的、ルーチンワーク的に実行するジョブの設定内容を登録しておき特定操作で設定内容を呼び出すようなジョブでは、決められた時間に間に合うようにジョブが実行されればよい場合もある。言い換えると、特定操作ごとに目的や内容が異なり、使用者は、特定操作によっては、速度を落としたジョブの実行を許容する場合もある。そこで、操作部（操作パネル３）は、特定操作ごとに、通常モード速度でジョブを実行するか、静音モード速度でジョブを実行するかを設定する速度設定を受け付け、記憶部（メモリー３６）は、それぞれの特定操作に対応付けて、操作部でなされた速度設定の内容を記憶し、ジョブ実行部（原稿読取部１、印刷部２）は、通常モード速度でジョブを実行する速度設定の特定操作を経て実行指示がなされたジョブを通常モード速度で実行し、静音モード速度でジョブを実行する速度設定の特定操作を経て実行指示がなされたジョブについては、特定操作がなされても静音モード速度で実行する。
【０１２２】
これにより、使用者の意思に基づき、ジョブの実行完了までの時間の短縮を優先するか、あるいは、ジョブの実行完了までの時間は長くなってもよいので、静音性を優先させるかを定めることができる。
【０１２３】
又、操作部（操作パネル３）は、使用者による特定操作の内容を定める入力を受け付け、操作部に対し特定操作の内容を登録する指示がなされると、記憶部（メモリー３６）は、使用者により定められた特定操作の内容を記憶し、特定操作は、操作部にて呼び出し操作を行うことにより操作部を予め定められた設定値が設定された状態とする操作、操作部にて呼び出し操作を行うことにより予め定められた設定項目の設定画面を操作部の表示部３１に表示させる操作、操作部にて呼び出し操作を行うことにより操作部をジョブの宛先が設定された状態とする操作の何れか１つ、又は、複数である。これにより、様々な種類の操作に対応付けて、ジョブ実行速度を自動的に定めることができる。
【０１２４】
又、操作部（操作パネル３）は、実行指示がなされたジョブの実行速度の変更を受け付け、ジョブ実行部（原稿読取部１、印刷部２）は、変更後のジョブ実行速度でジョブを実行する。これにより、ジョブの実行指示を出してからジョブ実行完了までの間に、特定操作の有無により自動的に定められたジョブの実行速度を、事後的に低速に、又は、高速に切り替えることができる。従って、使用者は事後的に所望の速度でジョブを実行させることができる。
【０１２５】
又、ジョブを実行していない状態では画像形成装置（複合機１００）から生ずる音はあまりなく、操作部（操作パネル３）を操作したとき（例えば、何らかのキーを押したとき）に伴い発音される電子音のような操作音は目立つ。そのため、ジョブを実行していない状態での操作音をうるさく感じる使用者もいる。一方で、ジョブを実行しているとき、画像形成装置（複合機１００）から生ずる音にまぎれて、操作音があまり気にならないようになることが経験的に分かっている。そこで、操作部（操作パネル３）は、操作部に対するタッチ操作の操作音を発する発音部３８を含み、発音部３８は、ジョブ実行部（原稿読取部１、印刷部２）がジョブ実行中の操作音を、ジョブ実行部がジョブを実行していないときよりも大きくする。
【０１２６】
これにより、操作音を発するようにしても、使用者に画像形成装置（複合機１００）から生ずる音は、静かであると感じさせることができる。また、操作部（操作パネル３）に対する操作音により、画像形成装置（複合機１００）の周辺にいる者に不快感を持たせない。更に、ジョブ実行中での操作音の聞き取りが容易になるので、使用者は自己の操作が受け付けられていることを容易に認識できる。
【０１２７】
又、ジョブ実行部（原稿読取部１、印刷部２）は、用紙Ｐを搬送して用紙Ｐに印刷を行う印刷部２と、載置された原稿Ｄの搬送を自動的に行う原稿搬送部１ｂを含み、搬送される原稿Ｄを読み取る原稿読取部１の何れか一方、又は、両方である。これにより、使用者が急いでいない場合（ジョブの実行完了までに時間を要してもよいと考えている場合）には、印刷部２や原稿搬送部１ｂから生ずる音を小さくして印刷や原稿読み取りのジョブを実行することができる。また、使用者が急いでいる場合（ジョブの実行完了までの時間が短い方がよいと考えている場合）には、印刷や原稿読み取りのジョブが速やかに実行される。
【０１２８】
又、搬送経路でのガイドへの紙の衝突音や、搬送を行う回転体の回転開始音などの要因によって、印刷に用いる用紙Ｐや原稿Ｄの送り出しを開始するとき、比較的大きな音が生じやすい。そこで、印刷部２は、用紙Ｐを供給する給紙部４ａを含み、給紙部４ａと原稿搬送部１ｂは、異なるタイミングで用紙Ｐと原稿Ｄの送り出しを開始する。これにより、印刷用の用紙Ｐと原稿Ｄの送り出し開始時点をずらすことができる。従って、画像形成装置（複合機１００）の２箇所で同じような時間帯に大きな音が生ずることを避けることができ、画像形成装置から生ずる瞬間的な最大音量を低く抑えることができる。
【０１２９】
上記の実施形態では、特定操作がなされたジョブについては、速度設定に応じた速度でジョブが実行される例を説明した。しかし、主制御部６は、特定操作がなされたジョブについては、一律に静音モード速度で実行させ、特定操作がなされず通常操作のみで設定されたジョブについては、通常モード速度で実行させるようにしてもよい。
【０１３０】
反対に、主制御部６は、特定操作がなされたジョブについては、一律に通常モード速度で実行させ、特定操作がなされず通常操作のみで設定されたジョブについては、静音モードで実行させるようにしてもよい。
【０１３１】
本発明の実施形態を説明したが、本発明の範囲はこれに限定されるものではなく、発明の主旨を逸脱しない範囲で種々の変更を加えて実施することができる。
【産業上の利用可能性】
【０１３２】
本発明は、操作パネルのような操作部と、印刷や原稿読み取りを行うジョブ実行部を含む画像形成装置に利用可能である。
【符号の説明】
【０１３３】
１００  複合機（画像形成装置）          １      原稿読取部（ジョブ実行部）
１ｂ    原稿搬送部                      ２      印刷部（ジョブ実行部）
３      操作パネル（操作部）            ３６    メモリー（記憶部）
３８    発音部                          ４ａ    給紙部
Ｐ      用紙                            Ｄ      原稿
【図１】
2014216857.tif 000003
【図２】
2014216857.tif 000004
【図４】
2014216857.tif 000005
【図５】
2014216857.tif 000006
【図６】
2014216857.tif 000007
【図７】
2014216857.tif 000008
【図８】
2014216857.tif 000009
【図９】
2014216857.tif 000010
【図１０】
2014216857.tif 000011
【図１１】
2014216857.tif 000012
【図１２】
2014216857.tif 000013
【図１３】
2014216857.tif 000014
【図１４】
2014216857.tif 000015
【図１５】
2014216857.tif 000016
【図３】
2014216857.tif 000017